(57)【要約】【課題】撮影レンズの前面部を開閉可能レンズバリアを有するバリア付きカメラにおいて、バリア開閉専用の駆動源を必要とせず、配置スペ−スも少ないバリア付きカメラを提供する。【解決手段】バリア付きカメラであるデジタルカメラ１には、レンズ開口部６ａをレンズ鏡筒である鏡枠部３の進退駆動以外の期間に開閉駆動されるレンズバリア１１を有している。レンズバリア１１は、第一スライドベースに回動可能に支持され、第一スライドベース２１は、スライド移動可能な第二スライドベース２２に対して相対移動可能に支持される。レンズバリア１１は、鏡枠部３の沈胴状態からセットアップを開始するまでの鏡枠回動期間に連動してスライド駆動され、レンズ開口部６ａの開閉が行われ、閉位置にあるときは、レンズ開口部６ａに嵌り込み、レンズバリア１１の前面とレンズ開口部周辺の表面とが同一面を形成するように保持される。【選択図】図１
2006053173.tif 000002
【特許請求の範囲】
【請求項１】
撮影可能位置と撮影不可能とする撮影不可能位置との間を移動するレンズ移動軌跡を有する撮影レンス鏡筒と、上記撮影レンズ鏡筒を覆う閉じ位置と撮影レンズ鏡筒の前面から退避する開位置との間を移動して上記レンズ移動軌跡と交差するハリア移動軌跡を有するバリアとを有するバリア付きカメラにおいて、
上記撮影レンス鏡筒を上記撮影不可能位置と上記撮影可能位置とに駆動する駆動手段と、
上記撮影レンス鏡筒の駆動に連動させて、上記バリアが上記撮影レンス鏡筒と干渉しないように上記バリアを駆動する連動手段と、
を有することを特徴とするバリア付きカメラ。
【請求項２】
上記撮影レンズ鏡筒は、ズームレンズを有しており、上記連動手段は、上記撮影レンズ鏡筒が沈胴位置にあって、撮影可能位置への繰り出しを開始するまでの期間、および、撮影可能位置から沈胴位置に繰り込まれた後の期間に上記バリアを駆動させることを特徴とする請求項１に記載のバリア付きカメラ。
【請求項３】
上記バリアが上記撮影レンズ鏡筒を覆う閉じ位置にあるとき、上記カメラの前面と上記バリアの表面か同一面であることを特徴とずる請求項１、または、２に記載のバリア付きカメラ。
【発明の詳細な説明】
【技術分野】
【０００１】
本発明は、撮影レンズ鏡筒前面を開閉するレンズバリアを有するバリア付きカメラに関する。
【背景技術】
【０００２】
従来、バリア付きカメラにおけるレンズバリア装置として特許文献１に開示された開示の装置は、レンズバリア閉状態でレンズバリアの表面がカメラボディと同一面を形成するように構成したものである。本装置では、バリアの摺動方向の一方をトグル機構を構成するリンク部材で支持し、他方をカムフォロアを介してカム溝で支持する機構を採用しており、バリア閉位置で上記カム溝とリンク部材によりバリアをカメラボディ表面の位置まで持ち上げるようにしてレンズバリア表面をカメラボディの表面に合致させるようにしている。このレンズバリア装置の駆動源として、専用のステッピングモータが適用される。
【特許文献１】特許文献１は、特開２００２−７２２８８号公報である。
【発明の開示】
【発明が解決しようとする課題】
【０００３】
しかしながら上述した特許文献１に開示されたレンズバリア装置においては、バリア駆動用の専用モータが採用されており、コスト的にも配置スペ−ス的にも不利であって、十分な小型化やコストダウンを満足させるものとはいえない。
【０００４】
本発明は、上述の問題を解決するためになされたものであり、レンズバリア駆動用の専用の駆動源を必要とせず、必要とする配置スペ−スも少ないバリア付きカメラを提供することを目的とする。
【課題を解決するための手段】
【０００５】
本発明の請求項１に記載のバリア付きカメラは、撮影可能位置と撮影不可能とする撮影不可能位置との間を移動するレンズ移動軌跡を有する撮影レンス鏡筒と、上記撮影レンズ鏡筒を覆う閉じ位置と撮影レンズ鏡筒の前面から退避する開位置との間を移動して上記レンズ移動軌跡と交差するハリア移動軌跡を有するバリアとを有するバリア付きカメラにおいて、上記撮影レンス鏡筒を上記撮影不可能位置と上記撮影可能位置とに駆動する駆動手段と、上記撮影レンス鏡筒の駆動に連動させて、上記バリアが上記撮影レンス鏡筒と干渉しないように上記バリアを駆動する連動手段とを有することを特徴とするバリア付きカメラ。
【０００６】
本発明の請求項２に記載のバリア付きカメラは、請求項１に記載のバリア付きカメラにおいて、上記撮影レンズ鏡筒は、ズームレンズを有しており、上記連動手段は、上記撮影レンズ鏡筒が沈胴位置にあって、撮影可能位置への繰り出しを開始するまでの期間、および、撮影可能位置から沈胴位置に繰り込まれた後の期間に上記バリアを駆動させる。
【０００７】
本発明の請求項３に記載のバリア付きカメラは、請求項１、または、２に記載のバリア付きカメラにおいて、上記バリアが上記撮影レンズ鏡筒を覆う閉じ位置にあるとき、上記カメラの前面と上記バリアの表面とが同一面上にある。
【発明の効果】
【０００８】
本発明によれば、レンズバリア駆動用の専用の駆動源を必要とせず、配置スペ−スも少ないバリア付きカメラを提供することができる。
【発明を実施するための最良の形態】
【０００９】
以下、図を用いて本発明の実施形態について説明する。  
図１は、本発明の一実施形態のバリア付きカメラとしてのデジタルカメラの沈胴状態（バリア閉状態）における横断面図である。図２は、上記デジタルカメラのバリア部を含む前カバー部を前方側から見た分解斜視図である。図３は、上記デジタルカメラのバリア部を含む前カバー部および鏡枠部を後方側から見た分解斜視図である。図４は、上記鏡枠部の分解斜視図である。図５〜７は、上記前カバー部のバリア閉開過程を示す正面図であって、図５は、バリア閉状態を示し、図６は、バリア回動終了状態を示し、図７は、バリア開状態を示す。図８〜１０は、上記前カバー部のバリア閉開過程を示す背面図であって、図８は、図５に対応したバリア閉状態を示し、図９は、図６に対応したバリア回動終了状態を示し、図１０は、図７に対応したバリア開状態を示す。図１１〜１５は、上記デジタルカメラの沈胴状態からバリア開放状態を経てセットアップする過程を示す横断面図であり、図１１は、図５に対応した沈胴状態（バリア閉状態）を示し、図１２は、図６に対応したバリア回動終了状態を示し、図１３は、図７に対応したバリア開状態を示し、図１４は、ワイド状態を示し、図１５は、テレ状態を示す。
【００１０】
なお、以下の説明において、本実施形態のデジタルカメラの撮影レンズ光軸をＯとし、光軸Ｏと平行な方向をＺ方向とし、被写体側を＋Ｚ方向，結像側を−Ｚ方向とする。Ｚ方向に対して直交する左右方向をＸ方向とし、被写体側から見て右方向を＋Ｘ方向、左方向を−Ｘ方向とする。光軸Ｏまわりの回転方向で被写体側から見て反時計回りを＋Ｄ0 方向とし、時計回りを−Ｄ0 方向とする。
【００１１】
本実施形態のデジタルカメラ１は、撮像素子としてＣＣＤを内蔵するバリア付きカメラであって、図１等に示すようにカメラ本体部としてレンズ開口部７ａを有する前カバー７と後カバー８を有しており、前カバー７の前面部には、撮影レンズ開口窓部であるレンズ開口部６ａを有する前メタルカバー６が接着固着もしくはネジにより固定される。なお、前メタルカバー６の開口部６ａの周辺表面６ｂは、＋Ｘ側が−Ｚ方向に後退するように僅かに傾斜した傾斜面を形成しているものとする。
【００１２】
前カバー７と後カバー８の内部には、ズーミング，フォーカシングが可能であって、撮影可能位置と撮影不可能位置との間のレンズ移動軌跡上を移動する撮影レンズ鏡筒部である鏡枠部３および鏡枠駆動部４が内蔵、保持される。また、鏡枠部３の前方の前カバー７には、バリア装置２が組み込まれる。
【００１３】
バリア装置２の各構成部材は、図２，３に示すように前カバー７の背面側および前面部に組み付けられるが、そのうち、前カバー７の背面部に組み付けられる部材として、バリア駆動のための連動手段としての回動レバー１３，往復移動部材のスライド板１４，従動軸部材１６が配される。一方、前カバー７の前面部に組み付けられる部材として、バリア駆動のための連動手段としてのバリアリンク１７，回動支持手段の第一バリアベース２１，直線移動支持手段の第二バリアベース２２，上記バリアベースをスライドガイドするための上下のガイド板１８，１９と、前面に金属飾板１２が接着されるレンズバリア１１と、レンズバリア１１を回動付勢する回動付勢手段であるトーションバネ２６とが配される。
【００１４】
回動レバー１３は、軸穴部１３ａと、駆動ピン１３ｂと、係合ピン１３ｃとを有しており、前カバー７側の固定の支持軸部７ｃに回動自在に嵌入して装着される。そして、図８等に示すように駆動ピン１３ｂは、バリアベース駆動用の駆動手段を構成するリングギヤ３９の回動位置によってリングギヤの切り欠き３９ｂに嵌入して係合、または、該切り欠き３９ｂから離脱する。
【００１５】
従動軸部材１６は、軸部１６ａと、係合ピン１６ｂと、前面側にバリアリンク１７の一端が固着される回り止め突起１６ｃとを有しており、前カバー７の軸貫通穴７ｄに回動自在に嵌入して装着される。軸部１６ａの軸貫通穴７ｄとの摺動面には、カメラ外部と内部との間の防水のためのゴムリング１６ｄが装着されている。
【００１６】
スライド板１４には、Ｘ方向に沿ったガイド長穴１４ａ，ガイド切り欠き１４ｂと、２つのピン係合用切り欠き１４ｃ，１４ｄと、突起１４ｅとが設けられる。スライド板１４は、ガイド長穴１４ａ，ガイド切り欠き１４ｂにそれぞれ嵌入した２本のネジ７１により摺動自在な状態で、前カバー７の背面に螺着して取り付けられる。また、切り欠き１４ｃには、回動レバー１３の係合ピン１３ｃが嵌入し、切り欠き１４ｄには、従動軸部材１６の係合ピン１６ｂが嵌入する。突起１４ｅには、スライド付勢手段である圧縮バネ１５の一端部が挿入される。圧縮バネ１５の他端部は、前カバー７に当接し、スライド板１４を＋Ｘ方向に付勢する。従って、回動レバー１３が＋Ｄ1 方向（図９）に回動駆動されると、係合ピン１３ｃにより圧縮バネ１５の付勢力に抗してスライド板１４が−Ｘ方向にスライド駆動される。そして、スライド板１４の−Ｘ方向の移動に伴って従動軸部材１６が係合ピン１６ｂを介して−Ｄ2 方向（図９）に回動駆動される。
【００１７】
前カバー７の前面側に配される部材であるバリアリンク１７は、その一端部が従動軸部材１６の回り止め突起１６ｃに係合させた状態でビス７２により固着されて保持される。そして、他端部には、第二バリアベース２２側のベースピン２３が摺動自在に嵌入するピン駆動溝１７ｂが形成されている。なお、ピン駆動溝１７ｂには、ピン頭部挿入部１７ｃが設けられる。
【００１８】
第一バリアベース２１は、金属薄板材料で形成される部材であって、右端部にバリア回動軸２５が嵌入する光軸Ｏと直交する面上にあって、上下方向に向く軸穴部２１ａと、中央左寄り位置に第二バリアベース２２をＸ方向にスライド可能に支持する折り曲げ凸部２１ｂと、カム片２４の回り止め用下方突起部が挿入される長穴２１ｃとを有している。
【００１９】
第二バリアベース２２は、金属薄板材料で形成される部材であって、中央部に設けられる舌片部２２ａを第一バリアベース２１の折り曲げ凸部２１ｂに挿入して相対スライド可能に重ね合わせて組み付けられる。そして、第二バリアベース２２の長穴２２ｂにはバリア押し出し部材であって傾斜面２４ａを有するカム片２４がビス７３により固着され、さらに、ピン穴２２ｃにベースピン２３が固着される。
【００２０】
この第二バリアベース２２は、組み付け状態でレンズバリア１１をバリア回動軸２５回りに回動させるために第一バリアベース２１に対してＸ方向に所定距離相対移動可能に保持される。その相対移動範囲は、カム片２４の傾斜面２４ａをレンズバリア１１の当接部１１ｄが底面から上面まで乗り上げ可能な距離とし、第一バリアベース２１の長穴２１ｃの嵌合長さで決められる。
【００２１】
レンズバリア１１は、円板形状の部材であって、撮影レンズを覆う閉じ位置と撮影レンズ前面から退避する開位置とを撮影レンズの移動軌跡と交差するように移動する移動軌跡を有している。このレンズバリア１１は、円板部外周縁にリング状の凸部を有する前面１１ａと、円板部より＋Ｘ側に僅かに突出する凸部１１ｃおよび−Ｘ側に突出する凸部１１ｅと、−Ｘ側端部裏面（−Ｚ面）にカム片２４の傾斜面２４ａに摺動当接可能な当接部１１ｄと、＋Ｘ側寄りの位置で上下方向（鉛直方向）に沿って、バリア回転支持軸であるバリア回動軸２５が挿入固着される切り欠き部１１ｂとを有している。そして、レンズバリア１１は、第一バリアベース側のバリア回動軸２５により回動可能に支持される。
【００２２】
ガイド板１８，１９も金属薄板材料で形成されるガイド部材であって、このガイド板１８，１９は、ビス７４，７５によって前カバー７の前面部の上下にＸ方向に沿って固定される。その固定状態で上記重ね合わせ状態の第一，二バリアベース２１，２２が前カバー７の前面スライド面７ｅ，７ｆとこのガイド板１８，１９で挟持した状態で光軸Ｏと直交する面に沿ってＸ方向にスライド移動可能に支持される。
【００２３】
上記取り付け状態の第一バリアベース２１の右端部には、バリア回動軸２５を介してレンズバリア１１が扉状に回動自在に取り付けられるが、バリア回動軸２５にはトーションバネ２６が挿入され、レンズバリア１１をバリア回動軸２５を中心にして−Ｘ側端部側を−Ｚ側（カメラ本体側）に向けて回動付勢する。
【００２４】
さらに、上記取り付け状態の第二バリアベース２２のベースピン２３は、従動軸部材１６に一端が固着されているバリアリンク１７の他端側のピン駆動溝１７ｂに摺動自在に嵌入される。
【００２５】
上述したバリア装置２は、鏡枠駆動部４の鏡枠電動駆動源であるズームモータ６１によって鏡枠部３に連動して鏡枠部が沈胴位置に繰り込まれている状態のとき開閉駆動される。すなわち、鏡枠部３の沈胴状態、すなわち、後述する沈胴ストッパ当接状態から撮影可能状態に鏡枠繰り出しを始めるセットアップ開始までの期間にレンズバリア１１の閉位置から開位置への駆動が行われる。逆に鏡枠の撮影可能位置からの繰り込み終了時（セットアップ開始に対応）から上記沈胴ストッパ当接までの期間にてレンズバリア１１の開位置から閉位置への駆動が行われる。
【００２６】
なお、該レンズバリア１１の閉位置は、撮影レンズに前方領域である鏡枠の移動軌跡と交差した位置であって、前メタルカバー６のレンズ開口部６ａおよび前カバー７のレンズ開口部７ａを覆う位置である。その閉位置にあるレンズバリア１１は、レンズ開口部６ａ内に嵌り込んだ状態にあり、レンズバリア１１の前面１１ａが前メタルカバー６の開口部周辺の表面６ｂと同一面上にある。
【００２７】
上記バリア閉状態にあるとき、レンズバリア１１の＋Ｘ側の先端の凸部１１ｃの裏面側には、前カバー７の開口部７ａの＋Ｘ側端側バリア支え７ｂが位置し、凸部１１ｃの前面側には、前メタルカバー６の開口部６ａの縁部内面が位置している。さらに、レンズバリア１１の−Ｘ側端部の当接部１１ｄの裏面側には、第二バリアベース２２のカム片２４の表面が位置しており、レンズバリア１１の−Ｘ側の凸部１１ｅの前側には、前メタルカバー６の開口部６ａの縁部内面が位置している。
【００２８】
従って、バリア閉状態において、万一、レンズバリア１１が押圧された場合、＋Ｘ側寄りでバリア支え７ｂが当接し、−Ｘ側寄りでカム片２４の表面が当接するのでレンズバリア１１の沈み込みが防止される。また、レンズバリア１１の前メタルカバー６の表面６ｂより前方への浮き上がりは、＋Ｘ側の凸部１１ｃおよび−Ｘ側の凸部１１ｅが前メタルカバー６の開口部６ａの内面縁部に当接することにより防止される。
【００２９】
また、該レンズバリア１１の開位置は、撮影レンズに前方領域である鏡枠の移動軌跡から退避した位置であって、前メタルカバー６のレンズ開口部６ａおよび前カバー７のレンズ開口部７ａが完全に開放される。そのとき、レンズバリア１１は、前カバー７と前メタルカバー６との間の光軸Ｏ方向における隙間に退避している。
【００３０】
レンズバリア開閉は、鏡枠部３の駆動に連動して行われるが、その動作の詳細については後で説明する。
【００３１】
次に、鏡枠部３および鏡枠駆動部４について、図１，３，４，１１〜１８等を用いて説明する。  
なお、図１６は、上記鏡枠繰り出し動作のチャ−トであって、上記鏡枠のカム枠回転角に対する組み付け位置（初期位置）を基準として沈胴状態からバリア開放を経て鏡枠のワイド位置，テレ位置への繰り出し変化を示す。図１７（Ａ）〜（Ｄ）は、上記鏡枠部の固定枠に対するカム枠の相対回動による繰り出し過程のカム溝部とガイド凸部，補助ガイド凸部とを内周側から見た展開図であって、図１７（Ａ）は、沈胴時の状態を示し、図１７（Ｂ）は、バリア開時の状態を示し、図１７（Ｃ）は、ワイド状態を示し、図１７（Ｄ）は、テレ状態を示す。図１８（Ａ）〜（Ｃ）は、上記鏡枠部のカム枠の回転に伴う第一，二群枠（カムフォロアで示す）の繰り出し過程のカム溝部とカムフォロアとを内周側から見た展開図であって、図１８（Ａ）は、沈胴状態およびバリア開時の状態を示し、図１８（Ｂ）は、ワイド状態を示し、図１８（Ｃ）は、テレ状態を示す。
【００３２】
図１，４に示すように鏡枠部３は、前カバー７，後カバー８に固定枠３１を挟持した状態で保持されており、鏡枠駆動部４は、固定枠３１に取り付けられている。
【００３３】
鏡枠部３は、固定枠３１以外にレンズ鏡筒駆動のための駆動手段としてのカム枠３２，フロートキー３６，フォーカス枠３４を支持する第一群枠３３，第二群枠３５と、ＣＣＤ支持枠３７と、リングギヤ押さえ板３８と、バリア駆動のための連動手段としてのリングギヤ３９と、ロングギヤ４１と、遮光・防滴（防水）リング４７，４８とを有してなる。
【００３４】
固定枠３１は、円筒形状の枠部材であって、図１７に示すように内周部に光軸Ｏに対して所定の角で斜行するカム溝３１ｃ，３１ｆと，カム溝３１ｃの延長ライン上のカム溝３１ｄと、前方位置にてカム溝３１ｄに連通する周方向に沿ったガイド溝３１ｅと、カム溝３１ｃと３１ｄの間に設けられる所定幅の周方向に沿った逃げ溝３１ｇと、フロートキー３６の突起が嵌入する２本の直進ガイド溝３１ｂとを有している。なお、カム溝３１ｃの根元部には周方向に沿ったガイド部３１ｈが設けられる。
【００３５】
また、固定枠３１の側方に内周部及び外周部に開口するロングギヤ収納室３１ａが設けられる。このロングギヤ収納室３１ａには、ロングギヤ４１が回動可能に支持されて収納される。
【００３６】
カム枠３２は、円筒形状の枠部材で固定枠３１の内周に回転，進退可能に嵌入される。このカム枠３２には図１７に示すように外周部の後方端の所定角範囲の周部にロングギヤ４１と噛合可能なギヤ部３２ａと、ギヤ部３２ａが位置する周上でギヤ部３２ａから所定距離離間した位置に補助ガイド凸部３２ｃとが設けられ、さらに、ギヤ部３２ａと補助ガイド凸部３２ｃの間の斜め前方位置にガイド凸部３２ｂが配されている。
【００３７】
カム枠３２の内周部には、複数の第一群枠用，第二群枠用の２組のカム溝３２ｄ，３２ｅと（図１８）、後方内周部にフロートキー３６の外周部が嵌入する周方向のガイド溝３２ｆが設けられる。
【００３８】
それぞれのカム溝３２ｄは、光軸Ｏに平行なカムフォロア挿入部３２daと、周方向に沿う周方向カム溝部３２dbと、光軸Ｏに対して繰り出し方向に斜行するセットアップカム溝部３２dcと、光軸Ｏに対して斜行するズームカム溝部３２ddとが連通して形成されるカム溝である。。一方、それぞれのカム溝３２ｅは、光軸Ｏに平行なカムフォロア挿入部３２eaと、周方向に沿う周方向カム溝部３２ebと、光軸Ｏに対して繰り出し方向に斜行するセットアップカム溝部３２ecと、光軸Ｏに対して斜行するズームカム溝部３２edとが連通して形成されるカム溝である。
【００３９】
第一群枠３３は、円筒形状の枠部材であり、カム枠３２の内周に相対回転，進退可能に嵌入され、固定枠３１に対しては回転せず直進可能に支持される。この第一群枠３３は、中央部にレンズ開口部３３ａを有し、外周部に複数のカムフォロア４２が固着される。カムフォロア４２は、カム枠３２のカム溝３２ｄに摺動自在に嵌入する。
【００４０】
第一群枠３３の内部にはフォーカス枠３４がビス７６により固定支持される。さらに、フォーカス枠３４には、撮影レンズである第一群レンズ５１を保持する第一群レンズ枠３４Ａを進退可能な状態で支持され、また、フォーカスモータ４４が装着されている。第一群レンズ枠３４Ａは、フォーカス駆動時にフォーカスモータ４４によって送りネジ機構部４５を介して進退駆動される。
【００４１】
第二群枠３５は、カム枠３２の内周の第１群枠３３の後方に相対回転，進退可能に嵌入され、固定枠３１に対しては回転せず直進可能に支持される。第二群枠３５の中央部にレンズ開口部に撮影レンズである第二群レンズ５２が配され、その後方にシャッタ羽根５６が配される。シャッタ羽根５６は、内蔵されるロータリーソレノイド５５により開閉駆動される。また、第二群枠３５の外周部にカムフォロア４３が固着される。カムフォロア４３は、カム枠３２のカム溝３２ｅに摺動自在に嵌入する。
【００４２】
フロートキー３６は、リング形状部材であって、外周部３６ｃから外方向に突出する２つのガイド突起３６ａと、光軸Ｏと平行に＋Ｚ方向に延出する直進ガイド部３６ｂとを有している。
【００４３】
フロートキー３６は、直進ガイド部３６ｂを第一群枠３３の直進ガイド溝３３ｂと第二群枠３５の直進ガイド穴３５ｂに摺動可能に嵌入，貫通させた状態とし、外周部３６ｃをカム枠３２の後端部周方向のガイド溝３２ｆに回動可能に嵌入させて取り付け、さらに、ガイド突起３６ａを固定枠３１の直進ガイド溝３１ｂに摺動可能に嵌入させて組み込まれる。従って、カム枠３２が回動駆動された場合、フロートキー３６は、固定枠３１により回転規制されるので第一群枠３３と第二群枠３５も回転規制状態で保持される。カム枠３２が回動、かつ、進退駆動された場合、フロートキー３６は、固定枠３１により回転規制されながらカム枠３２とともに進退移動し、第一群枠３３と第二群枠３５も回転規制状態でカム溝３２ｄ，３２ｅによって進退移動する。
【００４４】
ＣＣＤ支持枠３７は、撮像開口部３７ａを有し、固定枠３１の後端面にビス７７によって取り付けられる。撮像開口部３７ａの後方には、光学フィルタ５３とＣＣＤ５４が配される。
【００４５】
ＣＣＤ支持枠３７の前面側には、凸状の沈胴ストッパ３７ｂが設けられている。後述するように鏡枠の沈胴繰り込み過程において、カム枠３２は、第一，二群枠３３，３４とともに光軸Ｏ方向に沈胴位置まで繰り込まれた後、バリア閉駆動のためにさらに沈胴回動方向に所定角だけ回動駆動されるが、その所定角だけ回動したときに、沈胴ストッパ３７ｂがカム枠３２の補助ガイド凸部３２ｃの１つが当接して、カム枠３２は、沈胴ストッパ当接位置に停止する。従って、沈胴状態からバリア開放および撮影可能な状態への繰り出し時、カム枠３２としては、上記沈胴ストッパ当接位置から回動動作を開始することになる。
【００４６】
リングギヤ３９には、外周部の所定角範囲のギヤ部３９ａと、所定位置に切り欠き部３９ｂと設けられる。このリングギヤ３９は、固定枠３１の前方外周部３１ｉに回動可能な状態で取り付けられ、前方への移動が係止部３８ａを固定枠３１に係止させた状態のリングギヤ押さえ板３８によって規制されて支持される。
【００４７】
鏡枠駆動部４は、鏡枠電動駆動源であるズームモータ６１と、該モータ６１の出力軸に固着されるウォームギヤ６２と、ウォームギヤ６２に噛合するウォームホイール６３を含む減速ギヤ列６４と、該ギヤ列６４で駆動されるアイドルギヤ６５とからなる。この鏡枠駆動部４は、固定枠３１の前面側にビス７８により取り付けられる。その取り付け状態でアイドルギヤ６５は、鏡枠部３のロングギヤ４１に噛合するとともにリングギヤ３９のギヤ部３９ａにも噛合する。
【００４８】
上述した構成を有する本実施形態のデジタルカメラ１における鏡枠の進退動作およびそれに連動するレンズバリアの開閉動作について、図５〜７，８〜１０，１１〜１５，１６，１７，１８を用いて説明する。
【００４９】
いま、図１６の鏡枠繰り出し動作のチャ−トに示す組み立て状態から鏡枠部２が沈胴ストッパ当接状態（沈胴状態，バリア閉状態）にあって、図５，８，１１，１７（Ａ），１８（Ａ）の状態にあるとする。このとき、カム枠３２は、組み立て回動位置（θ＝０°）を基準にして沈胴ストッパ当接回動角θ1 （＝２°，＋Ｄ0 方向）まで回動した状態であり、カム枠３２の補助ガイド凸部３２ｃがＣＣＤ支持枠３７の沈胴ストッパ３７ｂに当接している。また、固定枠３１に対してカム枠３２のガイド凸部３２ｂがガイド部３１ｈ上の側方位置にある（図１７（Ａ））。第一，二群枠３３，３５のそれぞれのカムフォロア４２，４３は、カム枠３２のカム溝３２ｄ，３２ｃの周方向カム溝部３２db，３２eb上にある（図１８（Ａ））。
【００５０】
一方、レンズバリア１１は、閉位置にあって前メタルカバー６のレンズ開口部６ａ内に嵌り込んだ状態に保持されている（図１１）。そのとき、レンズバリア１１の前面１１ａは、前メタルバー６の表面６ｂと同一面上に位置している。回動レバー１３は、その駆動ピンがリングギヤ３９の切り欠き３９ｂ内に位置している。従って、スライド板１４は、最も＋Ｘ側に位置しており、バリアリンク１７を介してレンズバリア１１が上述の閉位置に移動している。
【００５１】
そこで、デジタルカメラ１のレンズバリアを開放し、撮影レンズを繰り出して撮影可能な状態にセットするため、ズームモータ６１が繰り出し方向に駆動されると、アイドルギヤ６５を介し、ロングギヤ４１を回転させ、カム枠３２が＋Ｄ0 方向にセットアップ開始の前のバリア開終了回動角θ4 （＝１５．５°）まで駆動される（図１６）。同時にリングギヤ３９もアイドルギヤ６５を介して−Ｄ0 方向に回動駆動される。この状態までは、鏡枠部２のカム枠３２，第一，二群枠３３，３５は、ともに沈胴位置に留まっており、この期間中にレンズバリア開放が実行される。
【００５２】
詳しく説明すると、カム枠３２の回動角θ4 に達したとき、カム枠３２は、バリア開放時の状態を示す図１７（Ｂ）に示すようにガイド凸部３２ｂがまだ固定枠３１の周方向に沿ったガイド部３１ｈ上に位置しているので繰り出されず沈胴位置に留まっている。第一，二群枠３３，３５もそれぞれカムフォロア４２，４３がまだ周方向カム溝部３２db，３２eb上のカムフォロア４２′，４３′の位置にあり（図１８（Ａ））、同様に繰り出されず沈胴位置に留まっている。
【００５３】
一方、カム枠３２の回動角θ4 までの回動中、リングギヤ３９は、−Ｄ0 方向に回動駆動してバリア装置２の開放動作が開始される。駆動初期状態の図８に示すバリア閉状態ではリングギヤ３９の切り欠き３９ｂ内に回動レバー１３の駆動ピン１３ｂが入り込んでいる。そこで、リングギヤ３９が−Ｄ0 方向に回動すると、図９に示すように駆動ピン１３ｂが切り欠き３９ｂの壁部に押圧され、＋Ｄ1 方向に回動を開始してスライド板１４が−Ｘ方向に移動する。その移動に伴って従動軸部材１６が回動し、バリアリンク１７が−Ｄ2 方向に回動駆動され、ベースピン２３が−Ｘ方向に移動を開始する（図５）。この移動開始時は、図１６に示すカム枠３２がベースピン移動開始回動角θ2 （＝４°）まで回動したときである。
【００５４】
ベースピン２３の移動に伴って第二バリアベース２２のカム片２４も−Ｘ方向に移動する。トーションバネ２６の付勢力が作用しているレンズバリア１１の当接部１１ｄがカム片２４の傾斜面２４ａを下る。このとき、レンズバリア１１を支持する第一バリアベース２１は、−Ｘ方向へは移動せず、レンズバリア１１がバリア回動終了状態を示す図６，図１２に示すようにバリア回動軸２５まわりに鏡枠側へ回動する。そして、レンズバリア１１の−Ｘ側端部が前メタルカバー６の開口部６ａから抜け出し、開放方向（−Ｘ方向）に移動可能な状態となる。このバリア回動終了時は、図１６に示すカム枠３２がバリア回動終了回動角θ3 （＝５°）まで回動したときである。
【００５５】
さらに、カム枠３２と共にリングギヤ３９が−Ｄ0 方向に回動駆動されると、バリアリンク１７が−Ｄ2 方向に回動し、第二バリアベース２２が第一バリアベース２１と一体で−Ｘ方向に移動して、バリア開放状態を示す図７，１３に示すようにレンズバリア１１がレンズ開口部６ａ，７ａから退避した開放位置に移動する。すなわち、鏡枠移動軌跡外に退避する。上述のリングギヤ３９の−Ｄ0 方向の回動に伴って回動レバー１３の駆動ピン１３ｂは、バリア開時の状態を示す図１０のように切り欠き３９ｂから脱出する。従って、その後、鏡枠がセットアップ動作に移行して、リングギヤ３９が−Ｄ0 方向に回動しても回動レバー１３は回動されず、第一，二バリアベース２１，２２，レンズバリア１１ともに移動しない。このバリア開放終了時のカム枠３２の回動角は、上述した回動角θ4 である。
【００５６】
続いて、カム枠３２は、余裕回動分として図１６のセットアップ開始回動角θ5 （＝２０°）まで＋Ｄ0 方向に回動駆動される。この余裕回動時には、カム枠３２，第一，二群枠３３，３５は、それぞれガイド凸部３２ｂやカムフォロア４２，４３がガイド部３１ｈに当接，嵌合している状態であり、まだ沈胴位置に留まっている。
【００５７】
上記カム枠３２の余裕回動後のセットアップ開始回動角θ5 からさらに＋Ｄ0 方向に回動駆動されると、鏡枠のセットアップ動作が開始される。詳しく説明すると、カム枠３２のガイド凸部３２ｂが固定枠３１のカム溝３１ｃに嵌入し、図１７（Ｂ）のＳ方向に沿って摺動移動し、逃げ溝３１ｇを通過してカム溝３１ｄに嵌入する。同時に補助ガイド凸部３２ｃもカム溝３１ｆに嵌入し、Ｓ方向に沿って摺動移動する。従って、ガイド凸部３２ｂが逃げ溝３１ｇ上にあるときは、カム枠３２は、補助ガイド凸部３２ｃによって位置規制され、ガイド凸部３２ｂが逃げ溝３１ｇ側に逸脱することがない。上述の摺動移動によりカム枠３２は、光軸Ｏ方向に回転しながら＋Ｚ方向に繰り出されていく。
【００５８】
カム枠３２がワイド位置回動角θ6 （＝６０°）まで回動すると（図１６）、ガイド凸部３２ｂがガイド溝３１ｅに嵌合した状態となり、また、補助ガイド凸部３２ｃが逃げ溝３１ｇ上に位置し、カム枠３２は、撮影可能なワイド位置に繰り出される（図１７（Ｃ），図１４）。
【００５９】
カム枠３２の上記セットアップ動作にて第一群枠３３のカムフォロア４２は、セットアップカム溝部３２dcに沿って移動して、カム枠３２がワイド位置回動角θ6 まで回動すると、ズームカム溝部３２dd上のワイド対応位置に位置する（図１８（Ｂ））。一方、第二群枠３５のカムフォロア４３もセットアップカム溝部３２ecに沿って移動して、カム枠３２がワイド位置回動角θ6 まで回動すると、ズームカム溝部３２ed上のワイド対応位置に位置する（図１８（Ｂ））。第一，二群枠３３，３５は、それぞれ撮影可能なワイド位置に繰り出される。
【００６０】
その後、テレ側へのズーム駆動がなされた場合は、カム枠３２が＋Ｄ0 方向にテレ位置回動角θ7 （＝１００°）まで回動駆動され（図１６）、ガイド凸部３２ｂが周方向のガイド部３１ｅを移動するので、カム枠３２は進退移動しない（図１７（Ｄ），図１５）。一方、第一群枠３３のカムフォロア４２は、ズームカム溝部３２dd上を移動し、第二群枠３５のカムフォロア４３は、ズームカム溝部３２ed上を移動し、第一，二群枠３３，３５は、それぞれのテレ位置に移動する（図１５）。
【００６１】
撮影可能状態から沈胴状態に繰り込み、バリア閉状態にする場合は、上述と逆の動作が実行される。すなわち、カム枠３２が−Ｄ0 方向に回動駆動され、ワイド位置回動角θ6 からセットアップ開始回動角θ5 を経てバリア開終了回動角θ4 に達すると、カム枠３２，第一群枠３３，第二群枠３５は、それぞれ光軸Ｏ方向の位置は、沈胴位置に繰り込まれる。
【００６２】
その後、バリア開終了回動角θ4 からさらにカム枠３２が−Ｄ0 方向に回動駆動されると、リングギヤ３９が連動して＋Ｄ0 方向に回動する。リングギヤ３９が回動することによりスライド板１４を介して圧縮バネ１５の付勢力を受けている回動レバー１３の駆動ピン１３ｂがリングギヤ３９の外周からリングギヤ３９の切り欠き３９ｂに突入する（図９）。上記突入動作によってスライド板１４が＋Ｘ方向にスライド移動し、バリアリンク１７が＋Ｄ2 方向に回動駆動される（図７）。さらに、バリアリンク１７の回動に伴って第一，二バリアベース２１，２２，レンズバリア１１が一体の状態で＋Ｘ方向のレンズ開口部６ａ，７ａ側に移動する。
【００６３】
レンズバリア１１の先端がレンズ開口部７ａの内壁に当接、または、その近傍に到達する（図１２）。この状態では、レンズバリア１１の表面である前面１１ａの先端側（バリア回動軸２５側、すなわち、＋Ｘ側）は、すでにレンズ開口部６ａ近傍の外表面６ｂと同面に位置する。そこで、レンズバリア１１と共に第一バリアベース２１が停止して第二バリアベース２２側のカム片２４がレンズバリア１１に対して＋Ｘ方向に相対移動する。これら駆動力は圧縮バネ１５の付勢力による。上記相対移動によってレンズバリア１１の当接部１１ｄがカム片２４の傾斜面２４ａを登る。レンズバリア１１は、バリア回動軸２５まわりに回動し、全外周がレンズ開口部６ａに嵌り込み、かつ、レンズバリア１１の前面１１ａが前メタルカバー６の開口部周辺の表面６ｂと同一面を形成するような閉状態となる（図５，１１）。このとき、カム枠３２は、前述したベースピン移動開始回動角θ2 に位置する。以後、さらに、カム枠３２が−Ｄ0 方向に回動駆動され、補助ガイド凸部３２ｃが沈胴ストッパ３７ｂに当接して停止する。そのカム枠３２の停止回動位置は、前述した沈胴ストッパ当接回動角θ1 である（図１６）。
【００６４】
以上、説明したように本実施形態のデジタルカメラ１によれば、レンズバリア１１は、鏡枠電動駆動源であるズームモータ６１の駆動に連動して開閉駆動され、その開動作は、鏡枠部３がセットアップ開始までの沈胴位置に留まっている期間に実行され、また、閉動作は、鏡枠部３の繰り込み後から沈胴ストッパ当接までの期間に実行され、バリア駆動専用の駆動源を必要としない。しかも、簡単なバリア開閉機構を適用することができ、カメラのさらなるコンパクト化が可能となる。また、本実施形態では、バリア閉状態でバリア表面を前メタルカバーの表面に確実に合致させることができる。そして、レンズバリア１１が外部から押圧された場合でもレンズバリアが内側に移動して凹むことがない。
【００６５】
また、レンズバリアの閉方向への駆動がバネ付勢力により行われる。したがって、レンズバリア閉動作の途中でレンズバリアが何かの障害物に接触したとしてもその接触状態で停止するだけであり、ズームモータによる過大トルクが作用することがなく、破損や変形が防止される。そして、該障害物を取り除くと、レンズバリアは閉位置に移動する。
【００６６】
さらに、レンズバリア１１のスライド移動および光軸方向移動をさせるためのカム溝やカムフォロアを必要としないことから構成が簡単で占有スペースもすくなく、利用スペースの自由度が大きく、カメラのコンパクト化にも効果がある。
【産業上の利用可能性】
【００６７】
本発明によるバリア付きカメラは、レンズバリア駆動用の専用の駆動源を必要とせず、配置スペ−スも少ないバリア付きカメラとして利用可能である。
【図面の簡単な説明】
【００６８】
【図１】本発明の一実施形態のバリア付きカメラとしてのデジタルカメラの沈胴状態（バリア閉状態）における横断面図である。
【図２】図１のデジタルカメラのバリア部を含む前カバー部を前方側から見た分解斜視図である。
【図３】図１のデジタルカメラのバリア部を含む前カバー部および鏡枠部を後方側から見た分解斜視図である。
【図４】図１のデジタルカメラの鏡枠部の分解斜視図である。
【図５】図１のデジタルカメラの前カバー部のバリア閉状態を示す正面図である。
【図６】図１のデジタルカメラの前カバー部のバリア回動終了状態を示す正面図である。
【図７】図１のデジタルカメラの前カバー部のバリア開状態を示す正面図である。
【図８】図１のデジタルカメラの前カバー部のバリア閉状態を示す背面図である。
【図９】図１のデジタルカメラの前カバー部のバリア回動終了状態を示す背面図である。
【図１０】図１のデジタルカメラの前カバー部のバリア開状態を示す背面図である。
【図１１】図１のデジタルカメラの沈胴状態（バリア閉状態）での横断面図である。
【図１２】図１のデジタルカメラのバリア回動終了状態での横断面図である。
【図１３】図１のデジタルカメラのバリア開状態での横断面図である。
【図１４】図１のデジタルカメラのワイド状態での横断面図である。
【図１５】図１のデジタルカメラのテレ状態での横断面図である。
【図１６】図１のデジタルカメラの鏡枠繰り出し動作のチャ−トである。
【図１７】図１のデジタルカメラの鏡枠部における固定枠に対するカム枠の回動による繰り出し過程のカム溝部とガイド凸部，補助ガイド凸部とを内周側から見た展開図であって、図１７（Ａ）は、沈胴時の状態を示し、図１７（Ｂ）は、バリア開時の状態を示し、図１７（Ｃ）は、ワイド状態を示し、図１７（Ｄ）は、テレ状態を示す。
【図１８】図１のデジタルカメラの鏡枠部におけるカム枠の回転に伴う第一，二群枠の繰り出し状態のカム溝部とカムフォロアとを内周側から見た展開図であって、図１８（Ａ）は、沈胴状態およびバリア開時の状態を示し、図１８（Ｂ）は、ワイド状態を示し、図１８（Ｃ）は、テレ状態を示す。
【符号の説明】
【００６９】
３  …鏡枠部（撮影レンズ鏡筒）
１１  …レンズバリア
１３  …回動レバー（連動手段）
１４  …スライド板（連動手段）
１５  …圧縮バネ（連動手段）
１７  …バリアリンク（連動手段）
２１  …第一バリアベース（連動手段）
２２  …第二バリアベース（連動手段）
３２  …カム枠（駆動手段）
３３  …第一群枠（駆動手段）
３５  …第二群枠（駆動手段）
３６  …フロートキー（駆動手段）
３９  …リングギヤ（連動手段）
代理人      弁理士    伊  藤    進
【図１】
2006053173.tif 000003
【図２】
2006053173.tif 000004
【図３】
2006053173.tif 000005
【図４】
2006053173.tif 000006
【図５】
2006053173.tif 000007
【図６】
2006053173.tif 000008
【図７】
2006053173.tif 000009
【図８】
2006053173.tif 000010
【図９】
2006053173.tif 000011
【図１０】
2006053173.tif 000012
【図１１】
2006053173.tif 000013
【図１２】
2006053173.tif 000014
【図１３】
2006053173.tif 000015
【図１４】
2006053173.tif 000016
【図１５】
2006053173.tif 000017
【図１６】
2006053173.tif 000018
【図１７】
2006053173.tif 000019
【図１８】
2006053173.tif 000020